(57)【特許請求の範囲】
【請求項１】
無線アクセスサービスに加入を希望する新規加入者に、該無線アクセスを開始するのに必要なアンテナ推奨条件情報を通知する情報提供装置であって、
前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報を登録するデータベースと、
前記新規加入者からの要求に応じて当該新規加入者の位置を特定する情報が入力されると、前記データベースに登録されている情報を参照し、当該新規加入者に対応したアンテナ推奨条件情報を演算処理する演算処理手段と、
前記演算処理手段の演算処理結果を当該新規加入者に通知する通知手段と
を具備することを特徴とする情報提供装置。
【請求項２】
無線アクセスサービスに加入を希望する新規加入者に、該無線アクセスを開始するのに必要なアンテナ推奨条件情報を通知する情報提供装置であって、
前記アンテナ推奨条件情報を提供するのに必要な各種情報を登録するデータベースと、
前記新規加入者からの要求に応じて当該新規加入者の位置を特定する情報が入力されると、
前記データベースに登録されている情報を参照し、当該新規加入者に対応したアンテナ推奨条件情報を演算処理する演算処理手段と、
前記演算処理手段の演算処理結果を当該新規加入者に通知する通知手段と
を具備し、
前記データベースには、前記アンテナ推奨条件情報を通知するのに必要な各種情報として、
無線アクセスサービスを提供するエリアに設置した全ての無線基地局の設置位置に関する情報、それぞれの無線基地局がカバー可能なサービスエリアに関する情報、キャリアが提供する無線サービスエリアを網羅し、各サービスエリア内に居住する世帯の位置が特定可能な詳細地図を示す情報、各サービスエリア内の世帯地域別の電界強度を示す情報、新規加入者がサービスを受けるにあたり必要な加入者宅の設備仕様に関する情報を登録しておくことを特徴とする情報提供装置。
【請求項３】
前記無線アクセスサービスを提供するエリアに設置した全ての無線基地局の設置位置に関する情報は、各無線基地局毎の緯度、経度、標高、サービスエリア（半径）を示す情報から構成されることを特徴とする請求項１または２記載の情報提供装置。
【請求項４】
前記それぞれの無線基地局がカバー可能なサービスエリアに関する情報は、各サービスエリア毎の住所、市内／市外番号を示す情報から構成されることを特徴とする請求項１または２記載の情報提供装置。
【請求項５】
前記サービスエリア内の世帯地域別の電界強度を示す情報は、予めキャリア側で調査員を派遣して現地調査を行って得たデータであることを特徴とする請求項２記載の情報提供装置。
【請求項６】
前記キャリアが提供する無線サービスエリアを網羅し、各サービスエリア内に居住する世帯の位置が特定可能な詳細地図を示す情報は、各サービスエリア内の各世帯毎の緯度、経度、標高を特定することが可能な情報から構成されることを特徴とする請求項２記載の情報提供装置。
【請求項７】
前記新規加入者がサービスを受けるにあたり必要な加入者宅の設備仕様に関する情報は、室外装置の定格無線出力およびアンテナのアンテナ利得に応じたモデル名を示す情報から構成されることを特徴とする請求項２記載の情報提供装置。
【請求項８】
無線アクセスサービスに加入を希望する新規加入者に、該無線アクセスを開始するのに必要なアンテナ推奨条件情報を通知する情報提供装置であって、
前記アンテナ推奨条件情報を提供するのに必要な各種情報を登録するデータベースと、
前記新規加入者からの要求に応じて当該新規加入者の位置を特定する情報が入力されると、前記データベースに登録されている情報を参照し、当該新規加入者に対応したアンテナ推奨条件情報を演算処理する演算処理手段と、
前記演算処理手段の演算処理結果を当該新規加入者に通知する通知手段とを具備し、
前記演算処理手段は、
前記新規加入者からの要求に応じて当該新規加入者の位置を特定する情報が入力されると、当該新規加入者の位置で無線アクセスサービスを受けることが可能かどうかを判定し、前記判定の結果、当該新規加入者が無線アクセスサービスを受けることが可能であると判定された場合、前記データベースを参照し、当該新規加入者を収容可能な無線基地局の位置情報を検索し、前記検索結果で得られた無線基地局の位置情報と前記新規加入者により入力された位置情報に基づいて、当該新規加入者と当該無線基地局の地図上の２点から当該新規加入者と当該無線基地局間の距離、当該新規加入者から見たときの当該無線基地局の方位角、当該新規加入者の位置における電界強度の値を演算し、前記演算結果で得られた距離および方位角および電界強度の値に基づき、当該新規加入者が無線アクセスサービスを受けるにあたり必要な加入者宅の設備仕様を選定することにより、当該新規加入者に対応したアンテナ推奨条件情報を演算処理することを特徴とする情報提供装置。
【請求項９】
前記新規加入者の位置を特定する情報は、
当該新規加入者の電話番号を示す情報または当該新規加入者の住所を示す情報であることを特徴とする請求項８記載の情報提供装置。
【請求項１０】
前記通知手段は、前記演算処理手段の検索結果および演算結果および選定結果に基づき、当該新規加入者に対応したアンテナ推奨条件情報として、加入者設備の一覧を示す情報、アンテナ取り付けの方向を示す情報、アンテナの方位角を示す情報を当該新規加入者に通知することを特徴とする請求項８記載の情報提供装置。
【請求項１１】
前記アンテナ推奨条件情報の通知は、インターネットを介して行われることを特徴とする請求項１、２、８のいずれかに記載の情報提供装置。
【請求項１２】
前記アンテナ推奨条件情報の通知は、ＦＡＸ（ファクシミリ通信）を介して行われることを特徴とする請求項１、２、８のいずれかに記載の情報提供装置。
【請求項１３】
無線アクセスサービスに加入を希望する新規加入者に、該無線アクセスを開始するのに必要なアンテナ推奨条件情報を通知する情報提供方法であって、
前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報をデータベースとして登録し、
前記新規加入者からの要求に応じて当該新規加入者の位置を特定する情報が入力されると、前記データベースに登録されている情報を参照し、当該新規加入者に対応したアンテナ推奨条件情報を演算処理し、
前記演算処理結果を当該新規加入者に通知することを特徴とする情報提供方法。
【請求項１４】
無線アクセスサービスに加入を希望する新規加入者に、該無線アクセスを開始するのに必要なアンテナ推奨条件情報を通知する情報提供方法であって、
前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報をデータベースとして登録し、
前記新規加入者からの要求に応じて当該新規加入者の位置を特定する情報が入力されると、前記データベースに登録されている情報を参照し、当該新規加入者に対応したアンテナ推奨条件情報を演算処理し、
前記演算処理結果を当該新規加入者に通知し、
前記データベースには、前記アンテナ推奨条件情報を通知するのに必要な各種情報として、
無線アクセスサービスを提供するエリアに設置した全ての無線基地局の設置位置に関する情報、それぞれの無線基地局がカバー可能なサービスエリアに関する情報、キャリアが提供する無線サービスエリアを網羅し、各サービスエリア内に居住する世帯の位置が特定可能な詳細地図を示す情報、各サービスエリア内の世帯地域別の電界強度を示す情報、新規加入者がサービスを受けるにあたり必要な加入者宅の設備仕様に関する情報を登録しておくことを特徴とする情報提供方法。
【請求項１５】
前記無線アクセスサービスを提供するエリアに設置した全ての無線基地局の設置位置に関する情報は、各無線基地局毎の緯度、経度、標高、サービスエリア（半径）を示す情報から構成されることを特徴とする請求項１３または１４記載の情報提供方法。
【請求項１６】
前記それぞれの無線基地局がカバー可能なサービスエリアに関する情報は、各サービスエリア毎の住所、市内／市外番号を示す情報から構成されることを特徴とする請求項１３または１４記載の情報提供方法。
【請求項１７】
前記サービスエリア内の世帯地域別の電界強度を示す情報は、予めキャリア側で調査員を派遣して現地調査を行って得たデータであることを特徴とする請求項１４記載の情報提供方法。
【請求項１８】
前記キャリアが提供する無線サービスエリアを網羅し、各サービスエリア内に居住する世帯の位置が特定可能な詳細地図を示す情報は、各サービスエリア内の各世帯毎の緯度、経度、標高を特定することが可能な情報から構成されることを特徴とする請求項１４記載の情報提供方法。
【請求項１９】
前記新規加入者がサービスを受けるにあたり必要な加入者宅の設備仕様に関する情報は、室外装置の定格無線出力およびアンテナのアンテナ利得に応じたモデル名を示す情報から構成されることを特徴とする請求項１４記載の情報提供方法。
【請求項２０】
無線アクセスサービスに加入を希望する新規加入者に、該無線アクセスを開始するのに必要なアンテナ推奨条件情報を通知する情報提供方法であって、
前記アンテナ推奨条件情報を提供するのに必要な各種情報をデータベースとして登録し、
前記新規加入者からの要求に応じて当該新規加入者の位置を特定する情報が入力されると、当該新規加入者の位置で無線アクセスサービスを受けることが可能かどうかを判定し、
前記判定の結果、当該新規加入者が無線アクセスサービスを受けることが可能であると判定された場合、前記データベースを参照し、当該新規加入者を収容可能な無線基地局の位置情報を検索し、
前記検索結果で得られた無線基地局の位置情報と前記新規加入者により入力された位置情報に基づいて、当該新規加入者と当該無線基地局の地図上の２点から当該新規加入者と当該無線基地局間の距離、当該新規加入者から見たときの当該無線基地局の方位角、当該新規加入者の位置における電界強度の値を演算し、
前記演算結果で得られた距離および方位角および電界強度の値に基づき、当該新規加入者が無線アクセスサービスを受けるにあたり必要な加入者宅の設備仕様を選定することにより、当該新規加入者に対応したアンテナ推奨条件情報を演算処理し、
前記演算処理結果を当該新規加入者に通知することを特徴とする情報提供方法。
【請求項２１】
前記新規加入者の位置を特定する情報は、
当該新規加入者の電話番号を示す情報または当該新規加入者の住所を示す情報であることを特徴とする請求項２０記載の情報提供方法。
【請求項２２】
前記検索結果および演算結果および選定結果に基づき、当該新規加入者に対応したアンテナ推奨条件情報として、加入者設備の一覧を示す情報、アンテナ取り付けの方向を示す情報、アンテナの方位角を示す情報を当該新規加入者に通知することを特徴とする請求項２０記載の情報提供方法。
【請求項２３】
前記アンテナ推奨条件情報の通知は、インターネットを介して行われることを特徴とする請求項１３、１４、２０のいずれかに記載の情報提供方法。
【請求項２４】
前記アンテナ推奨条件情報の通知は、ＦＡＸ（ファクシミリ通信）を介して行われることを特徴とする請求項１３、１４、２０のいずれかに記載の情報提供方法。
【発明の詳細な説明】
【０００１】
【発明の属する技術分野】
この発明は、無線アクセスサービスに加入を希望する加入者に、該無線アクセスを開始するのに必要なアンテナ推奨条件情報を提供する情報提供装置およびその情報提供方法に関し、特に、無線アクセスサービスを提供するキャリア側が加入者宅に選任の工事担当者を派遣することなく、加入者自らがアンテナ据付工事を容易に行えるように支援することを可能にした情報提供装置及びその情報提供方法に関するものである。
【０００２】
【従来の技術】
通常、この種の無線アクセスサービスを利用するためには、あらかじめ加入者宅に、宅内装置、屋外装置及びアンテナで構成される加入者設備を設置しなければならない。
【０００３】
そして、この種の無線アクセスに使用される無線周波数は数ＧＨｚ以上を使用することが多く、加入者宅に、アンテナを設置する際は、無線基地局の設置されている方向へアンテナを設置しなければならない。
【０００４】
従来、無線アクセスを提供する者すなわちキャリアがアンテナを設置するための工事担当者を加入者宅へ派遣し地図、方位磁針、電界強度を頼りにアンテナの据付及び調整を実施している。
【０００５】
【発明が解決しようとする課題】
上述の如く、従来、無線アクセスサービスを受けようとする加入者宅においてアンテナを設置する際には、無線基地局の設置されている方向へアンテナを設置する必要があり、無線アクセスを提供するキャリア側で選任の工事担当者を派遣し、地図、方位磁針、電界強度を頼りにアンテナの据付及び調整を実施するようにしている。
【０００６】
このように、従来では、選任の工事担当者を加入者宅へ派遣しなければならないため、無線アクセスサービスに加入する加入者の急増に対応することに限界を生じさせることになってしまう。
【０００７】
そこで、本発明は上記実状を鑑み、無線アクセスサービスを提供するキャリア側が加入者宅に選任の工事担当者を派遣することなく、加入者自らがアンテナ据付工事を容易に行えるように支援することが可能な情報提供装置及びその情報提供方法を提供することを目的とするものである。
【０００８】
【課題を解決するための手段】
上記目的を達成するために、請求項１の発明は、無線アクセスサービスに加入を希望する新規加入者に、該無線アクセスを開始するのに必要なアンテナ推奨条件情報を通知する情報提供装置であって、前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報を登録するデータベースと、前記新規加入者からの要求に応じて当該新規加入者の位置を特定する情報が入力されると、前記データベースに登録されている情報を参照し、当該新規加入者に対応したアンテナ推奨条件情報を演算処理する演算処理手段と、前記演算処理手段の演算処理結果を当該新規加入者に通知する通知手段とを具備することを特徴とする。
【０００９】
また、請求項２の発明は、無線アクセスサービスに加入を希望する新規加入者に、該無線アクセスを開始するのに必要なアンテナ推奨条件情報を通知する情報提供装置であって、前記アンテナ推奨条件情報を提供するのに必要な各種情報を登録するデータベースと、前記新規加入者からの要求に応じて当該新規加入者の位置を特定する情報が入力されると、前記データベースに登録されている情報を参照し、当該新規加入者に対応したアンテナ推奨条件情報を演算処理する演算処理手段と、前記演算処理手段の演算処理結果を当該新規加入者に通知する通知手段とを具備し、前記データベースには、前記アンテナ推奨条件情報を通知するのに必要な各種情報として、無線アクセスサービスを提供するエリアに設置した全ての無線基地局の設置位置に関する情報、それぞれの無線基地局がカバー可能なサービスエリアに関する情報、キャリアが提供する無線サービスエリアを網羅し、各サービスエリア内に居住する世帯の位置が特定可能な詳細地図を示す情報、各サービスエリア内の世帯地域別の電界強度を示す情報、新規加入者がサービスを受けるにあたり必要な加入者宅の設備仕様に関する情報を登録しておくことを特徴とする。
【００１０】
また、請求項３の発明は、請求項１または２の発明において、前記無線アクセスサービスを提供するエリアに設置した全ての無線基地局の設置位置に関する情報は、各無線基地局毎の緯度、経度、標高、サービスエリア（半径）を示す情報から構成されることを特徴とする。
【００１１】
また、請求項４の発明は、請求項１または２の発明において、前記それぞれの無線基地局がカバー可能なサービスエリアに関する情報は、各サービスエリア毎の住所、市内／市外番号を示す情報から構成されることを特徴とする。
【００１２】
また、請求項５の発明は、請求項２の発明において、
前記サービスエリア内の世帯地域別の電界強度を示す情報は、予めキャリア側で調査員を派遣して現地調査を行って得たデータであることを特徴とする。
【００１３】
また、請求項６の発明は、請求項２の発明において、
前記キャリアが提供する無線サービスエリアを網羅し、各サービスエリア内に居住する世帯の位置が特定可能な詳細地図を示す情報は、各サービスエリア内の各世帯毎の緯度、経度、標高を特定することが可能な情報から構成されることを特徴とする。
【００１４】
また、請求項７の発明は、請求項２の発明において、
前記新規加入者がサービスを受けるにあたり必要な加入者宅の設備仕様に関する情報は、室外装置の定格無線出力およびアンテナのアンテナ利得に応じたモデル名を示す情報から構成されることを特徴とする。
【００１５】
また、請求項８の発明は、無線アクセスサービスに加入を希望する新規加入者に、該無線アクセスを開始するのに必要なアンテナ推奨条件情報を通知する情報提供装置であって、前記アンテナ推奨条件情報を提供するのに必要な各種情報を登録するデータベースと、前記新規加入者からの要求に応じて当該新規加入者の位置を特定する情報が入力されると、前記データベースに登録されている情報を参照し、当該新規加入者に対応したアンテナ推奨条件情報を演算処理する演算処理手段と、前記演算処理手段の演算処理結果を当該新規加入者に通知する通知手段とを具備し、前記演算処理手段は、前記新規加入者からの要求に応じて当該新規加入者の位置を特定する情報が入力されると、当該新規加入者の位置で無線アクセスサービスを受けることが可能かどうかを判定し、前記判定の結果、当該新規加入者が無線アクセスサービスを受けることが可能であると判定された場合、前記データベースを参照し、当該新規加入者を収容可能な無線基地局の位置情報を検索し、前記検索結果で得られた無線基地局の位置情報と前記新規加入者により入力された位置情報に基づいて、当該新規加入者と当該無線基地局の地図上の２点から当該新規加入者と当該無線基地局間の距離、当該新規加入者から見たときの当該無線基地局の方位角、当該新規加入者の位置における電界強度の値を演算し、前記演算結果で得られた距離および方位角および電界強度の値に基づき、当該新規加入者が無線アクセスサービスを受けるにあたり必要な加入者宅の設備仕様を選定することにより、当該新規加入者に対応したアンテナ推奨条件情報を演算処理することを特徴とする。
【００１６】
また、請求項９の発明は、請求項８の発明において、
前記新規加入者の位置を特定する情報は、当該新規加入者の電話番号を示す情報または当該新規加入者の住所を示す情報であることを特徴とする。
【００１７】
また、請求項１０の発明は、請求項８の発明において、
前記通知手段は、前記演算処理手段の検索結果および演算結果および選定結果に基づき、当該新規加入者に対応したアンテナ推奨条件情報として、加入者設備の一覧を示す情報、アンテナ取り付けの方向を示す情報、アンテナの方位角を示す情報を当該新規加入者に通知することを特徴とする。
【００１８】
また、請求項１１の発明は、請求項１、２、８のいずれかの発明において、前記アンテナ推奨条件情報の通知は、インターネットを介して行われることを特徴とする。
【００１９】
また、請求項１２の発明は、請求項１、２、８のいずれかの発明において、前記アンテナ推奨条件情報の通知は、ＦＡＸ（ファクシミリ通信）を介して行われることを特徴とする。
【００２１】
また、請求項１３の発明は、無線アクセスサービスに加入を希望する新規加入者に、該無線アクセスを開始するのに必要なアンテナ推奨条件情報を通知する情報提供方法であって、前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報をデータベースとして登録し、前記新規加入者からの要求に応じて当該新規加入者の位置を特定する情報が入力されると、前記データベースに登録されている情報を参照し、当該新規加入者に対応したアンテナ推奨条件情報を演算処理し、前記演算処理結果を当該新規加入者に通知することを特徴とする。
【００２２】
また、請求項１４の発明は、無線アクセスサービスに加入を希望する新規加入者に、該無線アクセスを開始するのに必要なアンテナ推奨条件情報を通知する情報提供方法であって、前記アンテナ推奨条件情報を提供するのに必要な前記無線アクセスサービスを提供するエリアに設置した全ての無線基地局の設置位置に関する情報およびそれぞれの無線基地局がカバー可能なサービスエリアに関する情報を含む各種情報をデータベースとして登録し、前記新規加入者からの要求に応じて当該新規加入者の位置を特定する情報が入力されると、前記データベースに登録されている情報を参照し、当該新規加入者に対応したアンテナ推奨条件情報を演算処理し、前記演算処理結果を当該新規加入者に通知し、前記データベースには、前記アンテナ推奨条件情報を通知するのに必要な各種情報として、無線アクセスサービスを提供するエリアに設置した全ての無線基地局の設置位置に関する情報、それぞれの無線基地局がカバー可能なサービスエリアに関する情報、キャリアが提供する無線サービスエリアを網羅し、各サービスエリア内に居住する世帯の位置が特定可能な詳細地図を示す情報、各サービスエリア内の世帯地域別の電界強度を示す情報、新規加入者がサービスを受けるにあたり必要な加入者宅の設備仕様に関する情報を登録しておくことを特徴とする。
【００２３】
また、請求項１５の発明は、請求項１３または１４の発明において、前記無線アクセスサービスを提供するエリアに設置した全ての無線基地局の設置位置に関する情報は、各無線基地局毎の緯度、経度、標高、サービスエリア（半径）を示す情報から構成されることを特徴とする。
【００２４】
また、請求項１６の発明は、請求項１３または１４の発明において、前記それぞれの無線基地局がカバー可能なサービスエリアに関する情報は、各サービスエリア毎の住所、市内／市外番号を示す情報から構成されることを特徴とする。
【００２５】
また、請求項１７の発明は、請求項１４の発明において、前記サービスエリア内の世帯地域別の電界強度を示す情報は、予めキャリア側で調査員を派遣して現地調査を行って得たデータであることを特徴とする。
【００２６】
また、請求項１８の発明は、請求項１４の発明において、前記キャリアが提供する無線サービスエリアを網羅し、各サービスエリア内に居住する世帯の位置が特定可能な詳細地図を示す情報は、各サービスエリア内の各世帯毎の緯度、経度、標高を特定することが可能な情報から構成されることを特徴とする。
【００２７】
また、請求項１９の発明は、請求項１４の発明において、前記新規加入者がサービスを受けるにあたり必要な加入者宅の設備仕様に関する情報は、室外装置の定格無線出力およびアンテナのアンテナ利得に応じたモデル名を示す情報から構成されることを特徴とする。
【００２８】
また、請求項２０の発明は、無線アクセスサービスに加入を希望する新規加入者に、該無線アクセスを開始するのに必要なアンテナ推奨条件情報を通知する情報提供方法であって、前記アンテナ推奨条件情報を提供するのに必要な各種情報をデータベースとして登録し、前記新規加入者からの要求に応じて当該新規加入者の位置を特定する情報が入力されると、当該新規加入者の位置で無線アクセスサービスを受けることが可能かどうかを判定し、前記判定の結果、当該新規加入者が無線アクセスサービスを受けることが可能であると判定された場合、前記データベースを参照し、当該新規加入者を収容可能な無線基地局の位置情報を検索し、前記検索結果で得られた無線基地局の位置情報と前記新規加入者により入力された位置情報に基づいて、当該新規加入者と当該無線基地局の地図上の２点から当該新規加入者と当該無線基地局間の距離、当該新規加入者から見たときの当該無線基地局の方位角、当該新規加入者の位置における電界強度の値を演算し、前記演算結果で得られた距離および方位角および電界強度の値に基づき、当該新規加入者が無線アクセスサービスを受けるにあたり必要な加入者宅の設備仕様を選定することにより、当該新規加入者に対応したアンテナ推奨条件情報を演算処理し、前記演算処理結果を当該新規加入者に通知することを特徴とする。
【００２９】
また、請求項２１の発明は、請求項２０の発明において、前記新規加入者の位置を特定する情報は、当該新規加入者の電話番号を示す情報または当該新規加入者の住所を示す情報であることを特徴とする。
【００３０】
また、請求項２２の発明は、請求項２０の発明において、前記検索結果および演算結果および選定結果に基づき、当該新規加入者に対応したアンテナ推奨条件情報として、加入者設備の一覧を示す情報、アンテナ取り付けの方向を示す情報、アンテナの方位角を示す情報を当該新規加入者に通知することを特徴とする。
【００３１】
また、請求項２３の発明は、請求項１３、１４、２０のいずれかの発明において、前記アンテナ推奨条件情報の通知は、インターネットを介して行われることを特徴とする。
【００３２】
また、請求項２４の発明は、請求項１３、１４、２０のいずれかの発明において、前記アンテナ推奨条件情報の通知は、ＦＡＸ（ファクシミリ通信）を介して行われることを特徴とする。
【００３４】
【発明の実施の形態】
以下、本発明の実施形態について添付図面を参照して詳細に説明する。
【００３５】
図１は、一般的な無線アクセスシステムの一構成例を示す図である。
【００３６】
図１に示すように、この無線アクセスシステムは、無線アクセスサービスを提供するキャリアが電話回線等の変わりに無線で回線を提供し、従来の電話回線用モデムを使用した方法より高速なインターネットアクセスを加入者に提供する方式である。
【００３７】
そして、キャリアは、上述のように、電話回線に変わる通信回線を無線で提供するために無線基地局３を設置する。
【００３８】
加入者は、従来の電話回線用モデムに相当する装置として、無線アクセス用の宅内装置、屋外装置及びアンテナを設置する。
【００３９】
ところで、無線アクセスに使用される無線周波数は数ＧＨｚ以上を使用することが多く、加入者宅にアンテナを設置する際は、無線基地局の設置されている方向へアンテナを設置しなければならない。
【００４０】
ここで、従来、キャリアがアンテナを設置するための選任の工事担当者を加入者宅へ派遣し、入ず、方位磁針、電界強度を頼りにアンテナの据付及び調整を実施している。
【００４１】
これは、キャリアにとって選任の工事担当者を加入者宅へ派遣することは急増する需要に応えるための障害となる。
【００４２】
これに対し、本発明は、アンテナ据付に必要な情報を、工事担当者だけでなく、無線アクセスサービスに加入しようとする加入者が容易に取得できるようにすることにより、加入者自身が容易にアンテナの据付工事を行うことができるようにしたものである。
【００４３】
以下、本発明の特徴的部分について説明していく。
【００４４】
図２は、本発明の情報提供装置を適用した無線アクセス情報提供サービスの概要を示す図であり、上述の図１に示した無線アクセスシステムを構築しようとする新規加入者に対してアンテナ据付に必要な情報を提供する構成を示している。図２に示すように、この構成では、無線アクセスサービスを提供するキャリア側は、インターネット１上に新規に加入したい者（加入者）がアクセスできるサーバ１０を設置する。
【００４５】
そして、このサーバ１０には、キャリアが無線アクセスを提供するエリアに設置した全ての無線基地局の位置情報（緯度、経度、標高など）、それぞれの無線基地局がカバーできるサービスエリア情報、キャリアが提供する無線サービスエリアを網羅し、サービスエリア内に居住する世帯の位置が特定可能な詳細な地図情報（なお、この地図情報には、ランドマーク情報も含まれる。ランドマーク情報とは、各無線サービスエリア内で目印となりそうなランドマーク部分の情報のことである。）、各サービスエリア内の世帯地域別の電界強度を示す情報、加入者宅に設置する無線アクセス設備の情報、アンテナの取付け例を示す情報を登録したデータベース１１を備える。
【００４６】
また、サーバ１０は、加入希望者の電話番号および住所から無線アクセスの提供が可能かどうか、可能な場合には、どこの無線基地局３でサービスが受けられるかをサービスエリア情報から検索する検索機能と、この検索機能の検索結果で得られた無線基地局情報と当該新規加入希望者の加入者宅の位置情報から新規加入者と無線基地局の距離、新規加入者宅から見たときの基地局の方位角、新規加入者の位置における電界強度を演算する演算機能と、この演算機能の演算結果で得られた情報から該加入者宅で必要な加入者設備の仕様を選定する選定機能と、上記演算機能および選定機能の結果をすなわち加入者設備、アンテナ取付け位置、アンテナ方向に関する情報を通知する通知機能を備える。
【００４７】
図３は、図２に示したサーバ１０のデータベース１１に登録される登録情報の一構成例を示す図であり、この場合、無線基地局設置位置情報、サービスエリア情報、加入者設備情報、取付例情報の一構成例を示している。
【００４８】
図３（ａ）に示すように、無線基地局設置位置情報としては、情報項目として「基地局名称」、「緯度」、「経度」、「標高」、「サービスエリア（半径）」が用意され、これら各情報項目に応じてキャリアが提供する無線サービスエリア内の全ての無線基地局の情報が登録されている。
【００４９】
また、図３（ｂ）に示すように、サービスエリア情報としては、情報項目として「住所」、「市内／市外局番」が用意され、これら各情報項目に応じて、各サービスエリア毎の位置情報が登録されている。
【００５０】
また、図３（ｃ）に示すように、加入者設備情報としては、情報項目として「モデル名」、「無線出力」、「アンテナ利得」が用意され、これら各情報項目に応じて、室外装置及びアンテナの仕様およびそれら組合せによるモデル名とが登録されている。
【００５１】
また、図３（ｄ）に示すように、取り付け例情報としては、各加入者宅でアンテナを取り付けることが可能な場所の例を示す情報が用意されている。
【００５２】
図４は、無線アクセスサービスに加入しようとする加入者に無線アクセスに必要な設備、特に、アンテナ据付に必要な情報が提供されるまでの一連の流れ、および該アンテナ据付に必要な情報が提供された後、契約を経て、キャリア側から加入者宅に設置する設備一式（キット）が配送され取付けられるまでの一連の流れを示すシーケンス図である。
【００５３】
図４に示すように、まず、このシーケンスでは、加入者宅（４）の加入者端末４１からサーバ１０へ接続指示が行われる。
【００５４】
これにより、加入者端末４１の画面上に照会メニュー画面（後述の図５（ａ）参照）が表示される。
【００５５】
加入者は、この画面をもとに、新規加入項目を選択する。すると、次いで、画面上には、新規加入申込画面（後述の図５（ｂ）参照）が表示される。
【００５６】
その後、加入者は、この新規加入申込画面を用いて自己の電話番号または住所情報、名前等の情報を入力する。なお、この時、加入者は、後述の図５（ｃ）の画面にて最終的にチェックを行う。
【００５７】
すると、サーバ１０では、データベース１１を参照し、まず、当該加入者が自己の無線アクセスサービスを受けられるかどうかを判定する。
【００５８】
この判定の結果、該加入者が自己の無線アクセスサービスを受けられない、すなわち、該加入者がサービスエリア外であると判定されると、当該加入者に対してサービスエリア外である旨を通知する。この時、加入者側では、通信切断等を行う。
【００５９】
他方、上記判定の結果、当該加入者が自己の無線アクセスサービスを受けられる、すなわち、該加入者がサービスエリア内であると判定されると、次いで、サーバ１０では、当該加入者宅を収容すべき無線基地局、すなわち、該加入者宅に一番近い無線基地局を検索する。
【００６０】
次いで、サーバ１０では、このようにして新規加入者の位置と無線基地局の位置が求められると、新規加入者と無線基地局の地図上の２点から新規加入者と当該無線基地局の距離、新規加入者から見たときの基地局の方位角、新規加入者の位置における電界強度を求める。なお、この電界強度のデータは、予めキャリア側で事前に調査員を派遣して現地調査を行って得たデータである。
【００６１】
これら距離、方位角および電界強度が求められると、サーバ１０では、新規加入者がサービスを受けるにあたり必要な設備の仕様を求めるため、まず、室外装置が必要な定格無線出力の値と、アンテナの必要なアンテナ利得の値を求める。
【００６２】
これにより、定格無線出力の値とアンテナ利得の値が求められると、次いで、サーバ１０では、加入者端末４１に対して、取り付け例の選択を促す。
【００６３】
すると、加入者端末４１では、画面上に取付け例選択画面（後述の図６参照）が表示される。
【００６４】
加入者が取付け例選択画面を用いていずれかの選択を指定入力すると、サーバ１０では、データベース１１を参照して、上記求められた定格無線出力の値およびアンテナ利得の値と、加入者の選択指定入力に基づきデータベース１１を参照して、所望の加入者宅設備仕様のモデル名を選択する。すなわち、上記求められた定格無線出力値を満足する室外装置のモデル名および上記求められたアンテナ利得値を満足するアンテナのモデル名、またはそれらを組み合わせたモデル名をデータベース１１より選択する。
【００６５】
サーバ１０は、これら全ての情報が求められると新規加入者に加入者設備の一覧、アンテナ取り付けの方向、アンテナの方位角等を通知する。
【００６６】
具体的には、アンテナの取り付け位置は建物の東西南北のどちらへ取り付ければよいかを示し、方位はきたを０°としたときのアンテナビームの向けるべき方向を角度で示したものである。
【００６７】
なお、この通知の方法は、例えばグラフィカル画面で地図を背景にした後述の図７に示すような内容を表示する。また、新規加入者の周辺に目印になるような建物があればランドマークとしてあわせて表示する。
【００６８】
その後、最終的に、加入者とキャリア間で確認がとれ契約が成立すると、サーバ１０と加入者端末４１間の通信を切断し、その後、キャリア側は、アンテナ据付条件情報を記載した書類を添付した加入者設備一式（キット）を当該加入者宅に配送する。
【００６９】
これにより、加入者側では、キットを受け取ると、アンテナ据付情報をもとに自身で適切な位置に無線アクセス用のアンテナを容易に据え付けることができる。
【００７０】
このようにして加入者設備が設置されると、後述の図８に示すような無線アクセスシステムの加入環境が完成する。すなわち、上述の図４に示すフローにより無線アクセスサービスに加入しようとする加入者にアンテナ据付に関する情報が提供された後、その加入者により実際にアンテナおよび屋外装置４４の据付および宅内装置の設置が行われて無線アクセスシステムの環境が整った様子を示している。
【００７１】
このような構成により、無線アクセスサービスを受けるにあたってのアンテナ取り付けに関する情報を自動で提供するサービスにより、新規に無線アクセスサービスに加入したい新規加入者が自身でアンテナ据付の情報を簡単に入手できるので、加入者自らがアンテナ据付を行えるようになる。
【００７２】
これにより、キャリアの省略化に大きく貢献し無線アクセスサービスの拡大につながるとともに、加入者にとっては、従来のように選任の工事担当者が来るのを待たずに直ぐにアンテナの据付を行え、且つ、自分の都合のいい時にアンテナ据付を行えるようになる。
なお、上記実施例では、インターネット上のサーバを例に示したが、後述の図９に示すように、ＦＡＸ（ファクシミリ通信）情報サービスのようにサーバ１０がＦＡＸを介してアンテナ据付に関する情報を提供するようにしても良い。
【００７３】
図５は、上述の図４のフロー内で述べた加入者端末４１の画面上に表示される照会メニュー画面および新規加入申込画面の一構成例を示す図である。
【００７４】
図５（ａ）に示すように、この例では、この照会メニュー画面には、加入者が選択する情報項目として、「新規加入申込」、「問い合わせ」、「解約」の３つが用意されている。
【００７５】
そして、加入者が無線アクセスサービスに新規に加入しようとする際、上記情報項目のうち「新規加入申込」の情報項目を選択指定することにより、上述の図４に示す新規加入フローに移行する。
【００７６】
また、図５（ｂ）に示すように、この例では、新規加入申込画面には、加入者の住所または電話番号および氏名を入力するための各種入力欄が用意されている。すなわち、この例では、入力欄として「住所」、「電話番号」、「氏名」の３つが用意されている。
【００７７】
なお、図５（ｃ）に示す新規加入申込画面は、上記図５（ｂ）の画面で、加入者が各種情報を入力した後、最終的に加入者に確認を行わせるための画面の一例を示している。
【００７８】
これら各画面［図５（ａ）〜（ｃ）］を用いることで、加入者は、無線アクセスサービスに新規加入する手続およびアンテナ据付情報の取得が容易に行える。図６は、図４のフロー内で述べた加入者端末４１の画面上に表示されるアンテナ取付け例選択画面の一構成例を示す図である。
【００７９】
図６に示すように、この例では、アンテナ取付け例選択画面には、アンテナ取付け例として、３パターンが用意されている。
【００８０】
すなわち、パターン（Ａ）として、家屋の外側壁に取付ける場合と、パターン（Ｂ）として、家屋の屋根上に取付ける場合と、パターン（Ｃ）として、家屋のベランダ部分に取付ける場合の例が用意されている。
【００８１】
加入者は、この画面を用いることで、自宅の構造に応じたアンテナ取付け場所の候補を選択指定することができる。
【００８２】
図７は、サーバ１０から新規加入者に加入者設備の一覧、アンテナ取り付けの方向、アンテナの方位角等のアンテナ据付に関する情報を通知するための加入者端末に表示される情報提供画面の一構成例を示す図である。
【００８３】
図７に示すように、この例では、この情報提供画面には、当該新規加入を希望する加入者宅と該加入者宅を収容する無線基地局の地図上の位置関係を示す地図情報と、推奨条件情報が表示される。
【００８４】
なお、この例では、地図情報に、加入者宅に設置される設備モデル（タイプ）別に適用される地域（エリア）としてタイプＡ適用領域、タイプＢ適用領域が示されている。
【００８５】
また、推奨条件情報には、当該新規加入を希望する加入者設備のモデル名を示す情報と、アンテナの取り付け位置情報すなわち建物の東西南北のどちらへ取り付ければよいかを示す情報と、アンテナ方向を示す情報すなわち方位は北を０°としたときのアンテナビームの向けるべき方向を角度で示す情報と、ランドマークを示す情報とが示されている。
【００８６】
そして、この例では、モデル名情報として「タイプＡ」が、アンテナ取り付け情報として「北側」が、アンテナ方向情報として「４５°」が、ランドマーク情報として「ｘｘビル」が表示されている様子を示している。
【００８７】
図１０は、上記図５に示した照会メニューに、既に無線アクセスサービスに加入している者が、例えば、引越しなどで住所変更した場合に、以前使用していた加入者設備が使えるか否かの情報と、アンテナ据付条件情報をサーバから配信してもらうための指示項目を追加した場合の照会メニュー画面の一構成例を示す図である。
【００８８】
図１０（ａ）に示すように、この照会メニュー画面は、上述の図５に示した照会メニューの項目に、「住所変更」項目を追加した場合を示している。
【００８９】
そして、既に無線アクセスサービスに加入していた者が引越し先でサービスを受ける際、以前使用していた加入者設備が使えるか否かの情報と、アンテナ据付条件情報をサーバから配信してもらうため、上記「住所変更」の情報項目を選択指定すると、後述の図１１に示すフローに遷移する。
【００９０】
なお、「住所変更」の情報項目を選択指定すると、同図１０（ｂ）に示す画面に遷移する。この画面は、加入者が以前使用していた加入者設備のモデル名を入力するためのものである。
【００９１】
図１１は、図１０に示した画面を用いて、既に無線アクセスサービスに加入していた者が引越し先でサービスを受ける際、以前使用していた加入者設備が使えるか否かの情報と、アンテナ据付条件情報をサーバから配信してもらう場合の一連の流れを示すシーケンス図である。
【００９２】
図１１に示すように、まず、このシーケンスでは、加入者宅（４）の加入者端末４１からサーバ１０へ接続指示が行われる。
【００９３】
これにより、加入者端末４１の画面上に照会メニュー画面［前述の図１０（ａ）参照］が表示される。
【００９４】
加入者は、この画面をもとに、住所変更項目を選択する。すると、次いで、画面上には、以前使用していたモデル名および住所、電話番号、氏名を入力する画面［前述の図１０（ｂ）］が表示される。
【００９５】
その後、加入者は、この画面を用いて以前使用していたモデル名、および住所、電話番号、氏名等の情報を入力する。
【００９６】
すると、サーバ１０では、データベース１１を参照し、まず、当該加入者が自己の無線アクセスサービスを受けられるかどうかを判定する。
【００９７】
この判定の結果、該加入者が自己の無線アクセスサービスを受けられない、すなわち、該加入者がサービスエリア外であると判定されると、当該加入者に対してサービスエリア外である旨を通知する。この時、加入者側では、通信切断等を行う。
【００９８】
他方、上記判定の結果、当該加入者が自己の無線アクセスサービスを受けられる、すなわち、該加入者がサービスエリア内であると判定されると、次いで、サーバ１０では、当該加入者宅を収容すべき無線基地局、すなわち、該加入者宅に一番近い無線基地局を検索する。
【００９９】
次いで、サーバ１０では、このようにして新規加入者の位置と無線基地局の位置が求められると、新規加入者と無線基地局の地図上の２点から新規加入者と当該無線基地局の距離、新規加入者から見たときの基地局の方位角、新規加入者の位置における電界強度を求める。
【０１００】
これら距離、方位角および電界強度が求められると、サーバ１０では、新規加入者がサービスを受けるにあたり必要な設備の仕様を求めるため、まず、室外装置が必要な定格無線出力の値と、アンテナの必要なアンテナ利得の値を求める。
【０１０１】
これにより、定格無線出力の値とアンテナ利得の値が求められると、次いで、サーバ１０では、加入者端末４１に対して、取り付け例の選択を促す。
【０１０２】
すると、加入者端末４１では、画面上に取付け例選択画面（前述の図６参照）が表示される。
【０１０３】
加入者が取付け例選択画面を用いていずれかの選択を指定入力すると、サーバ１０では、上記求められた定格無線出力の値およびアンテナ利得の値と、加入者の選択指定入力に基づきデータベース１１を参照して、所望の加入者宅設備仕様のモデル名を選択する。すなわち、上記求められた定格無線出力値を満足する室外装置のモデル名および上記求められたアンテナ利得値を満足するアンテナのモデル名、またはそれらを組み合わせたモデル名をデータベース１１より選択する。
【０１０４】
その後、サーバ１０では、上記選択したモデルと加入者により入力された以前のモデルが一致するか否か、すなわち、以前加入者が使用していた加入者設備がそのまま利用できるか否かを判定する。
【０１０５】
この判定の結果、利用不可と判定されると、サーバ１０は、加入者端末４１に対して利用不可通知を行う。なお、この通知と同時に、サービスを受けるのに必要なモデルのキットの申し込みを行うかどうかを問いかける。
【０１０６】
これに対応して、加入者が、拒否すれば、通信を切断してこの処理を終了する。他方、加入者が、許可（ＯＫ）すれば、ＯＫ通知を行うサーバ１０に対して行う。
【０１０７】
その後、サーバ１０では、ＯＫ通知を受けると、新規加入者に加入者設備の一覧、アンテナアンテナ取り付けの方向、アンテナの方位角等を通知する。図４のフローで述べたのと同様に、具体的には、アンテナの取り付け位置は建物の東西南北のどちらへ取り付ければよいかを示し、方位はきたを０°としたときのアンテナビームの向けるべき方向を角度で示したものである。また、この通知の方法は、例えばグラフィカル画面で地図を背景にした前述の図７に示すような内容を表示し、新規加入者の周辺に目印になるような建物があればランドマークとしてあわせて表示する。
【０１０８】
その後、最終的に、加入者とキャリア間で新規なキットの申し込むが成立すると、サーバ１０と加入者端末４１間の通信を切断し、その後、キャリア側は、アンテナ据付条件情報を記載した書類を添付した加入者設備一式（キット）を当該加入者宅に配送する。
【０１０９】
これにより、加入者側では、新規なキットを受け取ると、アンテナ据付情報をもとに自身でアンテナ等の加入者設備一式を設置し無線アクセスシステムを構築する。
【０１１０】
他方、サーバ１０側で、以前加入者が使用していた加入者設備がそのまま利用可能であると判定されると、加入者に対して以前使用していた加入者設備がそのまま利用可能である旨を通知するとともに、アンテナ取り付けの方向、アンテナの方位角等を通知する。
【０１１１】
その後、サーバ１０と加入者端末４１間の通信を切断し、その後、加入者側では、アンテナ据付情報をもとに自身でアンテナ等の加入者設備一式を設置し無線アクセスシステムを構築する。
【０１１２】
なお、上記実施例では、アンテナ据付条件情報として、モデル名情報、アンテナ取付け情報と、アンテナ方向情報を通知するようにしているが、その他、アンテナの仰角を通知するようにしても良い。
【０１１３】
【発明の効果】
以上説明したように、本発明によれば、アンテナ推奨条件情報を提供するのに必要な各種情報をデータベースに登録し、新規加入を希望する者からの要求に応じて当該新規加入者の位置を特定する情報が与えられると、データベースに登録されている情報をもとに当該新規加入者に対応したアンテナ推奨条件情報を当該新規加入者に提供するようにしたため、無線アクセスサービスを提供するキャリア側が加入者宅に選任の工事担当者を派遣することなく、加入者自らがアンテナ据付工事を容易に行えるようになる。
【０１１４】
これにより、キャリア側にとっては、アンテナ据付工事の負担を解消し、無線アクセスサービスの拡大を図ることが可能になるとともに、加入者にとっては、従来のように選任の工事担当者が来るのを待たずに直ぐにアンテナの据付を行え、且つ自分の都合がいい時にアンテナ据付を行うことが可能となる。
【図面の簡単な説明】
【図１】一般的な無線アクセスシステムの一構成例を示す図。
【図２】本発明の情報提供装置を適用した無線アクセス情報提供サービスの概要を示す図。
【図３】図２に示したサーバのデータベースに登録される各種情報の一例を示す図。
【図４】アンテナ据付に必要な情報を無線アクセスサービスに加入しようとする加入者に提供する場合のキャリア側に設置されたサーバと加入宅の加入者端末間での情報のシーケンスを示す図。
【図５】図４のフロー内で述べた加入者端末の画面上に表示される照会メニュー画面および新規加入申込画面の一構成例を示す図。
【図６】図４のフロー内で述べた加入者端末の画面上に表示されるアンテナ取付け例選択画面の一構成例を示す図。
【図７】サーバから新規加入者に加入者設備の一覧、アンテナ取り付けの方向、アンテナの方位角等のアンテナ据付に関する情報を通知するため、加入者端末に表示される情報提供画面の一構成例を示す図。
【図８】無線アクセスシステムの環境が整った場合の当該加入者を収容した場合の一構成例を示す図。
【図９】ＦＡＸ（ファクシミリ通信）情報サービスのようにサーバがＦＡＸを介してアンテナ据付に関する情報を提供する場合の構成図。
【図１０】図５に示した照会メニューに、既に無線アクセスサービスに加入している者が、例えば、引越しなどで住所変更した場合に、以前使用していた加入者設備が使えるか否かの情報と、アンテナ据付条件情報をサーバから配信してもらうための指示項目を追加した場合の照会メニュー画面の一構成例を示す図。
【図１１】図１０に示した画面を用いて、既に無線アクセスサービスに加入していた者が引越し先でサービスを受ける際、以前使用していた加入者設備が使えるか否かの情報と、アンテナ据付条件情報をサーバから配信してもらう場合の一連の流れを示すシーケンス図。
【符号の説明】
１  インターネット
２  電話局
３  無線基地局
４  加入者宅
４１  加入者端末
４２  モデム
４３  宅内装置
４４  アンテナ及び屋外装置
５  電話網
６  ファクシミリ装置（ＦＡＸ装置）
１０  サーバ
１１  データベース
Ａ  キャリア
【図１】
0004174194.tif 000002
【図２】
0004174194.tif 000003
【図３】
0004174194.tif 000004
【図４】
0004174194.tif 000005
【図５】
0004174194.tif 000006
【図６】
0004174194.tif 000007
【図７】
0004174194.tif 000008
【図８】
0004174194.tif 000009
【図９】
0004174194.tif 000010
【図１０】
0004174194.tif 000011
【図１１】
0004174194.tif 000012